(57)【要約】【課題】収録系統数が多い、大規模であっても、収録コントローラとＭＴＸコントローラによって制御することで、高価な高解像度／低解像度エンコーダなどの収録機器を節約することができ、コストの削減が可能な収録システムを提供する。【解決手段】素材Ｂ群の収録素材を収録中には平行作業として素材Ａ群の収録素材の収録には最大の７０系統まで使用せず、一部の収録系統を共通に使用できる収録システムとするものである。そのため、本発明の収録システムの収録コントローラは、複数の回線から伝送される収録素材をビデオサーバー上に取込むために、収録系統に入力される収録素材を切替えて入力元の異なる別々の収録素材を同じ系統で収録制御するようにした。【選択図】図１
2012151563.tif 000002
【特許請求の範囲】
【請求項１】
あらかじめ登録された収録スケジュールに基づいて収録する収録素材の情報を通知する情報管理サーバーと、複数の系統の収録素材が同時に入力され、入力された前記複数の収録素材の中から選択された収録素材を出力するスイッチャと、前記スイッチャから出力された複数系統の収録素材をエンコードするエンコーダと、前記エンコーダの出力データを転送する収録転送管理サーバーと、前記転送されたデータを記録するサーバーと、前記通知された情報に従って前記スイッチャと前記エンコーダと前記収録管理サーバーとを制御する収録コントローラと、前記情報管理サーバーを操作する再生収録端末または収録端末とを備えた収録システムにおいて、
前記スイッチャは、第１の素材群の第１の所定数の収録素材を同時に入力し、入力された前記第１の収録素材の中から選択された第１の選択収録素材を出力する第１のスイッチャと、第２の素材群の第２の所定数の収録素材を同時に入力し、入力された前記第２の収録素材の中から選択された第２の選択収録素材を出力する第２のスイッチャとを有し、
さらに、前記第１のスイッチャから出力される前記第１の選択収録素材と、前記第２のスイッチャから出力される前記第２の選択収録素材とを入力し、いずれか一方の選択収録素材を出力する切替器を備えた収録システムであって、
前記エンコーダは、前記第１の所定数と同数の、前記第１の選択収録素材と前記第の選択収録素材を、同時にエンコード可能であることを特徴とする収録システム。
【発明の詳細な説明】
【技術分野】
【０００１】
本発明は、複数の回線から伝送される放送素材を収録する収録システムに関わり、特に、収録システムのビデオサーバーに取り込むために収録制御を行う収録コントローラに関する。
【背景技術】
【０００２】
ビデオサーバー等の収録機器に、複数のチャネル（例えば、１０００ｃｈ）のＨＤ−ＳＤＩ（  Ｈｉｇｈ  Ｄｅｆｉｎｉｔｉｏｎ−Ｓｅｒｉａｌ  Ｄｉｇｉｔａｌ  Ｉｎｔｅｒｆａｃｅ  ）入力系統から、収録素材（放送素材）を収録する場合には、入力される系統が極めて多い。さらに、エンコーダの数も多い（例えば、８〜７０ｃｈ）。このため、収録スケジュールの管理が非常に難しかった。
また、収録システムにおいて、通信手段やフォーマット等の違いに応じて、収録素材を複数の入力群系統に分けて収録機器に入力する収録システムもある（特許文献１参照。）。この場合には、複数の入力群系統のうち、素材Ａ入力群系統（素材Ａ群）の収録には、素材Ａ群用のスイッチャー（ＭＴＸ）を配置し、素材Ｂ入力群系統（素材Ｂ群）の収録には素材Ｂ群用のＭＴＸを配置し、ＭＴＸを切替え制御しながら収録を行っている。
例えば、素材Ａ群のために最大７０系統の収録素材が入力可能で、かつ、素材Ｂ群のために最大１０系統の収録素材が入力可能な収録機器を考える。この場合、素材Ａ群の最大入力系統数と素材Ｂ群の最大入力系統数とを合計した最大８０系統の収録素材が入力可能な収録システムを用意する必要がある。そのためには、エンコーダの数も、最大８０ｃｈ必要になる。
【先行技術文献】
【特許文献】
【０００３】
【特許文献１】特開２００６−２０３７３８号公報
【発明の概要】
【発明が解決しようとする課題】
【０００４】
上述のように、両方で８０系統を用意することができれば問題はない。しかし、コストが高くなる問題があった。
また収録スケジュールを登録する段階においても、入力系統数やエンコーダの数が多いことは、他の収録素材の収録系統や収録時間の把握の困難性が増し、収録スケジュールの重複を防止でき難くする。従って、１人または複数の操作者が、収録端末、再生端末、若しくは、上位機器である報道情報システムを介して割当てして、あらかじめ登録した、収録スケジュールの中にも、割当てＮＧとなる収録素材が内包されていることは避けられない。
本発明の目的は、上記のような問題に鑑み、エンコーダ等の一部の機器を共通化してコストを下げた収録システムを提供することにある。
【課題を解決するための手段】
【０００５】
上記の課題を解決するため、本発明の収録システムは、素材Ｂ群の収録素材を収録中には平行作業として素材Ａ群の収録素材の収録には最大の７０系統まで使用せず、一部の収録系統を共通に使用できる収録システムとするものである。
そのため、本発明の収録システムの収録コントローラは、複数の回線から伝送される収録素材をビデオサーバー上に取込むために、収録系統に入力される収録素材を切替えて入力元の異なる別々の収録素材を同じ系統で収録制御するものである。
【０００６】
即ち、本発明の収録システムは、あらかじめ登録された収録スケジュールに基づいて収録する収録素材の情報を通知する情報管理サーバーと、複数の系統の収録素材が同時に入力され、入力された前記複数の収録素材の中から選択された収録素材を出力するスイッチャと、前記スイッチャから出力された複数系統の収録素材をエンコードするエンコーダと、前記エンコーダの出力データを転送する収録転送管理サーバーと、前記転送されたデータを記録するサーバーと、前記通知された情報に従って前記スイッチャと前記エンコーダと前記収録管理サーバーとを制御する収録コントローラと、前記情報管理サーバーを操作する再生収録端末または収録端末とを備えた収録システムにおいて、前記スイッチャは、第１の素材群の第１の所定数の収録素材を同時に入力し、入力された前記第１の収録素材の中から選択された第１の選択収録素材を出力する第１のスイッチャと、第２の素材群の第２の所定数の収録素材を同時に入力し、入力された前記第２の収録素材の中から選択された第２の選択収録素材を出力する第２のスイッチャとを有し、さらに、前記第１のスイッチャから出力される前記第１の選択収録素材と、前記第２のスイッチャから出力される前記第２の選択収録素材とを入力し、いずれか一方の選択収録素材を出力する切替器を備えた収録システムであって、前記エンコーダは、前記第１の所定数と同数の、前記第１の選択収録素材と前記第の選択収録素材を、同時にエンコード可能であることを特徴とする。
【発明の効果】
【０００７】
本発明によれば、収録系統数が多い、大規模な収録システムであっても素材Ａ群用ＭＴＸと素材Ｂ群用ＭＴＸとを設け、素材Ａ群用ＭＴＸと素材Ｂ群用ＭＴＸの次段にＭＴＸ用２：１切替器を設け、共通に使用可能な共用系統部分に切替えて収録素材を収録するシステムを実現した。この結果、収録コントローラとＭＴＸコントローラによって制御することで、高価な高解像度／低解像度エンコーダなどの収録機器を節約することができ、コストの削減が可能となった。
【図面の簡単な説明】
【０００８】
【図１】本発明の収録システムの一実施例の機器構成を示すブロック図である。
【図２】本発明の収録システム及び収録系統部の自動収録スケジュール実施環境における自動収録の一実施例のタイムチャートである。
【図３】本発明の収録システムの自動収録スケジュール実施環境における即時収録の一実施例のタイムチャートである。
【図４】本発明の収録システムにおける素材Ａ群専用系統からの収録素材の収録の場合の信号の流れの一実施例を模式的に示した図である。
【図５】本発明の収録システムにおける素材Ａ群専用系統と素材Ｂ群専用系統とからの素材Ａ群の収録素材の収録の場合の信号の流れの一実施例を模式的に示した図である。
【図６】本発明の収録システムにおける素材Ａ群専用系統と素材Ｂ群専用系統とからの素材Ｂ群の収録素材の収録の場合の信号の流れの一実施例を模式的に示した図である。
【図７】本発明の収録システムにおける収録開始処理動作の手順の一実施例を説明するフローチャートである。
【発明を実施するための形態】
【０００９】
以下に本発明の一実施形態について、図面等を用いて説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
なお、各図の説明において、共通な機能を有する構成要素には同一の参照番号を付し、できるだけ説明の重複を避けるため、説明を省略するようにした。
【００１０】
図１を用いて、本発明の収録システムの一実施例について説明する。図１は、本発明の収録システムの一実施例の機器構成を示すブロック図である。１００は収録系統部、１５１は報道情報システム、１５２はあらかじめ登録されたスケジュールに基づいて収録する収録素材の情報を通知する情報管理サーバー、１５３は再生収録端末、１５４は収録端末、１６１は収録素材の管理を行う素材管理サーバー、１６２はプロキシ管理サーバー、１７１は素材サーバー、１７２はプロキシサーバー、１８１は素材Ａ群を入力して選択出力するマトリックススイッチ（ＭＴＸ）、１８２は素材Ｂ群を入力して選択出力するＭＴＸである。また収録系統部１００において、１０１は収録コントローラ、１０２は収録制御切替器、１０３は１６分割制御装置、１０４は１６分割合成装置、１０５はマトリックス（ＭＴＸ）コントローラ、１０６はＲＳ４２２切替器、１０７は２：１切替器、１０８は高解像度／低解像度エンコーダ、１０９は収録転送装置である。なお、ＲＳ４２２切替器は、他のインタフェース（例えば、ＲＳ４８５、ＲＳ２３２Ｃ、ＵＳＢ、等）が用いられれば、他のインタフェースの切替器が採用される。
【００１１】
収録系統部１００は、収録システム内の情報管理サーバー１５２から入力される収録スケジュール、または、再生収録端末１５３若しくは収録端末１５４からの収録操作によりＭＴＸコントローラ１０５や高解像度／低解像度エンコーダ１０８を制御し、素材サーバー１７１及びプロキシサーバー１７２へ収録素材を収録するための収録処理を行う。即ち、再生収録端末１５３、収録端末１５４、若しくは、報道情報システム１５１等の上位機器を介して割当て、あらかじめ登録された収録スケジュールの中の収録素材の収録時間が現在時刻の２日前（以内）になった場合（スタンバイ時間を含む）に、情報管理サーバー１５２は、当該収録素材の情報を収録コントローラ１０１に通知する。収録コントローラ１０１は、通知された収録素材の情報に基づいて、各機器を制御し、当該収録素材の収録処理を実行する。
【００１２】
ＭＴＸ１８１及びＭＴＸ１８２は、それぞれ、ＲＳ４２２切替器１０６を介してＭＴＸコントローラ１０５の制御を受ける。ＭＴＸ１８１及びＭＴＸ１８２は、それぞれ、同時に複数の系統（例えば、１０００ｃｈ）の収録素材（映像データやプロキシデータ）を入力可能で、情報管理サーバー１５２から入力される収録スケジュール、または、再生収録端末１５３若しくは収録端末１５４からの収録操作に基づいて、必要な系統から収録素材を入力し、入力された収録素材を１６分割合成装置１０４、２：１切替器１０７及び高解像度／低解像度エンコーダ１０８に出力する。なお、ＭＴＸ１８１に入力される収録素材と、ＭＴＸ１８１に入力される収録素材とは、例えば、データの通信方式やデータのフォーマット形式が異なる。
なお、本実施例では、ＭＴＸ１８１は、同時に最大７０系統の収録素材の入力が可能で、ＭＴＸ１８２は、同時に最大１０系統の収録素材の入力が可能である。
【００１３】
２：１切替器１０７は、ＭＴＸコントローラ１０５に制御に基づいて、ＭＴＸ１８１またはＭＴＸ１８２から入力された収録素材に切替えて、高解像度／低解像度エンコーダ１０８に出力する。高解像度／低解像度エンコーダ１０８は、同時に複数系統（例えば、最大７０ｃｈ）のエンコード処理が可能で、収録コントローラ１０１の制御に基づいて、入力される収録素材をエンコードして収録転送装置１０９に出力する。収録転送装置１０９は、入力された収録素材の管理情報を、素材管理サーバー１６１若しくはプロキシ管理サーバー１６２に転送する。また、収録転送装置１０９は、入力された収録素材を、素材サーバー１７１若しくはプロキシサーバー１７２に転送する。それぞれのサーバー１６１、１６２、１７１、及び１７２は、入力された収録素材を記録する。
【００１４】
なお、図１では図示しないが、収録系統部１００の各コントローラは、冗長構成となっている。本番系と待機系の２台からなり、本番系が制御を行う。例えば、収録コントローラ１０１、１６分割制御装置１０３、及びＭＴＸコントローラ１０５は、本番系と待機系でそれぞれ１台ずつ、計２台備える。
情報管理サーバー１５２、再生収録端末１５３、若しくは収録端末１５４から入力される、収録系統部１００の収録コントローラ１０１への制御指示は、本番系と待機系の両方に行われ、本番系のみが、指示に対する制御結果の応答を返す。即ち、本番系は、制御結果の応答を、上記制御指示を出力した機器に出力する。
好ましくは、本番系は、制御結果の上記応答を、上位の端末すべて、即ち、情報管理サーバー１５２、再生収録端末１５３、及び収録端末１５４全てに出力する。
また、好ましくは、特定の上位の端末がなくても、収録状況を共有可能とするため、収録用の１６分割制御装置１０３は、収録用の１６分割合成装置１０４を制御し、収録映像を１６分割合成装置１０４に表示する。
【００１５】
本発明の収録システムにおいて、収録する素材（収録素材）は、データの通信方式やフォーマット形式が異なる素材Ａ群と素材Ｂ群に分けている。それらを収録する系統は、本システムでは、素材Ａ群が同時に最大７０系統入力可能で、素材Ｂ群が同時に１０系統入力可能である。
一般的な収録システムでは、素材Ｂ群の収録素材を収録中には、平行作業として、同時に、素材Ａ群のすべての入力系統を使用しない。本発明の収録システムは、素材Ｂ群の収録素材を収録中に、同時に素材Ａ群の収録素材をすべての系統で入力しないことを利用して、収録システムの一部の系統を共通に使用できるようにした。
【００１６】
図２を用いて、本発明に係わる収録システムの自動収録のタイムチャートを説明する。図２は、本発明の収録システム及び収録系統部の自動収録スケジュール実施環境（あらかじめ、スケジュールに従って自動収録することが基本であるスケジュール管理）における自動収録の一実施例のタイムチャートである。横軸は時間である。
図２において、収録系統部１００の収録コントローラ１０１は、情報管理サーバー１５２から入力される収録スケジュールの通知に従い、事前に、前の収録が終了後、ＭＴＸ１８１若しくはＭＴＸ１８２の所定の接続系統を確保する（ＭＴＸ確保）。その時に、収録素材が素材Ａ群であるのか素材Ｂ群であるのかを判断し、目的の収録素材をどの系統で収録するのかを判断しＭＴＸを切替える。
スタンバイ制御時には、収録コントローラ１０１は、収録開始３０秒前に、収録ポート（高解像度／低解像度エンコーダ１０８及び収録転送装置１０９）をスタンバイする。同時に、収録コントローラ１０１は、再度、ＭＴＸ確保状態であることか確認する。なお、スタンバイのタイミング時間（３０秒）は、収録系統部１００の環境設定に従う。
スタンバイが完了した状態で、収録開始時刻（即ち、収録開始タイムコード）から収録素材の収録を開始する。
収録コントローラ１０１は、収録終了後、収録ポートを開放し、次の収録スケジュール用にＭＴＸ確保を行う。
【００１７】
次に、図３を用いて、本発明に係わる収録システムの即時収録のタイムチャートを説明する。図３は、本発明の収録システムの自動収録スケジュール実施環境における即時収録の一実施例のタイムチャートである。横軸は時間である。
図３において、収録系統部１００の収録コントローラ１０１は、通常は図２で説明したように自動収録スケジュール作業を実行している。
しかし、収録コントローラ１０１は、情報管理サーバー１５２から入力される収録素材の情報の通知に、即時収録開始フラグがある場合には、スケジュールの通知と同時に素材Ａ群なのか素材Ｂ群なのかを判断し、目的の収録素材をどの系統で収録するのかを判断し、ＭＴＸ１８１若しくは１８２に切替え、収録ポートのスタンバイを行い、機器がスタンバイされた状態であることを認識した後、すぐに収録素材の収録を開始する。なお、スタンバイのタイミング時間は、収録系統部１００の環境設定に関係なく、収録準備が出来次第、通常のスタンバイ時間より短時間で、収録素材の収録を開始する（即ち、収録コントローラ１０１から入力される収録開始コマンドに従う）。
なお、先頭のタイムコードは、収録を開始したタイムコードとなり、開始通知で通知される。
また、図３の動作は、上記説明を除いて、図２と同様である。
【００１８】
次に、図４〜図６を用いて、本発明の収録システムの一実施例における素材Ａ群用のＭＴＸ１８１と素材Ｂ群用のＭＴＸ１８２の併用について説明する。図４〜図６は、図１の収録システムの一実施例の機器構成を示すブロック図から、ＭＴＸ１８１、１８２、ＭＴＸコントローラ１０５、２：１切替器１０７、及び、高解像度／低解像度エンコーダ１０８の部分を取出した図である。図４は、素材Ａ群専用系統からの収録素材の収録の場合の信号の流れの一実施例を模式的に示した図である。また図５は、素材Ａ群専用系統と素材Ｂ群専用系統とからの素材Ａ群の収録素材の収録の場合の信号の流れの一実施例を模式的に示した図である。さらに図６は、素材Ａ群専用系統と素材Ｂ群専用系統とからの素材Ｂ群の収録素材の収録の場合の信号の流れの一実施例を模式的に示した図である。
【００１９】
系統番号が“１”から“６０”であった場合には、図４に示すように、ＭＴＸコントローラ１０５は、収録コントローラ１０１の制御により、素材Ａ群用のＭＴＸ１８１に対して制御コマンドを送信する。その結果、素材Ａ群用ＭＴＸは、選択した収録素材を高解像度／低解像度エンコーダ１０８に出力する。
また、系統番号が“６１”から“７０”であった場合には、ＭＴＸコントローラ１０５は、収録コントローラ１０１の制御により、要求された収録素材が素材Ａ群用ＭＴＸ１８１に存在するか否かを確認する。要求された収録素材が素材Ａ群用ＭＴＸ１８１に存在する場合には、図５に示すように、素材Ａ群用ＭＴＸ１８１に対して制御コマンドを送信し、かつ、２：１切替器１０７を素材Ａ群側に切替え制御する。従って、要求された収録素材は、ＭＴＸ１８１によって選択出力され、２：１切替器１０７を介して、高解像度／低解像度エンコーダ１０８に出力される。
また、系統番号が“６１”から“７０”であった場合に、ＭＴＸコントローラ１０５は、収録コントローラ１０１の制御により、要求された収録素材が素材Ａ群用ＭＴＸ１８１に存在するか否かを確認する。要求された収録素材が素材Ａ群用ＭＴＸ１８１に存在しない（素材Ｂ群用ＭＴＸ１８２に存在する）場合は、図６に示すように、素材Ｂ群用ＭＴＸ１８２に対して制御コマンドを送信し、その際、２：１切替器１０７を素材Ａ群側に切替え制御する。従って、要求された収録素材は、ＭＴＸ１８２によって選択出力され、２：１切替器１０７を介して、高解像度／低解像度エンコーダ１０８に出力される。
なお、図６の実施例において、要求された収録素材が素材Ａ群用ＭＴＸ１８１に存在するか否かを確認する以外に、（２）要求された収録素材が素材Ｂ群用ＭＴＸ１８１に存在するか否かを確認するか、（３）素材Ａ群用ＭＴＸ１８１と素材Ｂ群用ＭＴＸ１８１両方を確認にして、要求された収録素材がどちらのＭＴＸに存在するか否かを確認するようにしても良い。
【００２０】
図７によって、本発明の収録システムにおける収録開始処理の一実施例を説明する。図７は、本発明の収録システムにおける収録開始処理動作の手順の一実施例を説明するフローチャートである（図１〜図６参照）。
収録系統確認ステップ７０１では、収録系統が“６１”〜“７０”の収録素材であるか否かを判定する。収録系統が“６１”〜“７０”の収録素材であれば、素材Ｂ群用映像データ判定ステップ７０２に進み、否ならば、ＭＴＸ確保タイミング判定ステップ７０５に進む。
【００２１】
素材Ｂ群用映像データ判定ステップ７０２では、収録系統が素材Ｂ群用の収録素材であるか否かを判定する。素材Ｂ群用の収録素材であれば、ＭＴＸ確保タイミング判定ステップ７０３に進み、否である（素材Ａ群用の収録素材である）場合には、ＭＴＸ確保タイミング判定ステップ７０５に進む。
ＭＴＸ確保タイミング判定ステップ７０３では、ＭＴＸが確保されているか否かを判定する。ＭＴＸが確保されている場合には、ＭＴＸ確保処理素材Ｂ群用への切替指示ステップ７０４に進み、否ならば、ＭＴＸが確保されるまで、ＭＴＸ確保タイミング判定ステップ７０３を所定の周期で実行する。
ＭＴＸ確保処理素材Ｂ群用への切替指示ステップ７０４では、ＭＴＸ確保処理と素材Ｂ群用への切替指示を実行し、図７の処理を終了する。
【００２２】
ＭＴＸ確保タイミング判定ステップ７０５では、ＭＴＸが確保されているか否かを判定する（図２、図３参照。）。ＭＴＸが確保されている場合には、ＭＴＸ確保処理素材Ａ群用への切替指示ステップ７０６に進み、否ならば、ＭＴＸが確保されるまで、ＭＴＸ確保タイミング判定ステップ７０５を所定の周期で実行する。
ＭＴＸ確保処理素材Ａ群用への切替指示ステップ７０６では、ＭＴＸ確保処理と素材Ａ群用への切替指示を実行し、図７の処理を終了する。
【００２３】
上記図１〜図７の実施例によれば、エンコーダ等の一部の機器を共通化してコストを低減した収録システムを提供することができた。
即ち、素材Ａ群用ＭＴＸと素材Ｂ群用ＭＴＸとを設け、素材Ａ群用ＭＴＸと素材Ｂ群用ＭＴＸの次段にＭＴＸ用２：１切替器を設け、共通に使用可能な共用系統部分に切替えて収録するシステムを実現した。この結果、収録系統数が多い、大規模な収録システムであっても、収録コントローラとＭＴＸコントローラによって制御することで、高価な高解像度／低解像度エンコーダなどの収録機器を節約することができ、コストの削減が可能となった。
【符号の説明】
【００２４】
１００：収録系統部、  １０１：収録コントローラ、  １０２：収録制御切替器、  １０３：１６分割制御装置、  １０４：１６分割合成装置、  １０５：ＭＴＸコントローラ、  １０６：ＲＳ４２２切替器、  １０７：２：１切替器、  １０８：高解像度／低解像度エンコーダ、  １０９：収録転送装置、  １５１：報道情報システム、  １５２：情報管理サーバー、  １５３：再生収録端末、  １５４：収録端末、  １６１：素材管理サーバー、  １６２：プロキシ管理サーバー、  １７１：素材サーバー、  １７２：プロキシサーバー、  １８１、１８２：ＭＴＸ。
【図１】
2012151563.tif 000003
【図２】
2012151563.tif 000004
【図３】
2012151563.tif 000005
【図４】
2012151563.tif 000006
【図５】
2012151563.tif 000007
【図６】
2012151563.tif 000008
【図７】
2012151563.tif 000009